(57)【要約】【課題】取り付け、取り外しを繰り返しても、網目が歪んだり、網を構成する糸が切れたりすることのない面ファスナーを提供する。【解決手段】面ファスナー１は、雌側部材３と雄側部材５とを備え、網７を挟むようにして網７に取り付けられ、雌側部材３に複数のループ９を備え、雄側部材５に複数の突起１１を備える。また、網７に取り付けられたときに、雌側部材３の複数のループ９は網７を突き抜けており、雄側部材５の複数の突起１１は網７を突き抜けていない。また、雄側部材５の１ｃｍ２の面積に存在する複数の突起１１うちの１／３本以上が、網７の経糸１３及び緯糸１５の少なくとも一方に当接して、網７を突き抜けていないことが好ましい。【選択図】図１
2014236859.tif 000002
【特許請求の範囲】
【請求項１】
雌側部材と雄側部材とを備え、網を挟むようにして前記網に取り付けられる面ファスナーであって、
前記雌側部材に複数のループを備え、
前記雄側部材に複数の突起を備え、
前記網に取り付けられたときに、前記雌側部材の前記複数のループは前記網を突き抜けており、前記雄側部材の前記複数の突起は前記網を突き抜けていないことを特徴とする面ファスナー。
【請求項２】
前記雄側部材の１ｃｍ２の面積に存在する前記複数の突起のうちの１／３本以上が、前記網の経糸及び緯糸の少なくとも一方に当接して、前記網を突き抜けていない請求項１に記載の面ファスナー。
【請求項３】
前記複数の突起の頭部の径が、前記網の目開きより大きい請求項１又は２に記載の面ファスナー。
【請求項４】
前記複数の突起のうちの隣り合う突起同士の隙間が、前記網を構成する経糸及び緯糸の少なくとも一方の径より小さい請求項１乃至３のうちのいずれか１項に記載の面ファスナー。
【請求項５】
前記雌側部材の前記複数のループの配置間隔は、０．２〜１．５ｍｍであり、前記複数のループの高さは、０．８〜２．０ｍｍである請求項１乃至４のうちのいずれか１項に記載の面ファスナー。
【発明の詳細な説明】
【技術分野】
【０００１】
本発明は、網戸等の網に取り付けられて用いられる面ファスナーに関する。更に詳しくは、本発明は、網への取り付け、取り外しをしても、網目が歪んだり、網を構成する糸が切れたりすることのない面ファスナーに関する。
【背景技術】
【０００２】
従来、住宅の窓及び部屋とベランダとの間等に防虫などを目的として網戸が配置されている。また、面ファスナー等により網面に防虫剤などが取り付けられることも多い。例えば、フック状係合素子の素子密度を極端に低くして係合力を高め、防虫剤や芳香剤等を含有するパッケージを強固に網面に取り付けることができる面ファスナーが知られている（例えば、特許文献１参照。）。
【先行技術文献】
【特許文献】
【０００３】
【特許文献１】特開２００５−１８０１４８号公報
【発明の概要】
【発明が解決しようとする課題】
【０００４】
しかし、引用文献１に記載された面ファスナーでは、網面への取り付け、取り外しをしたときに、網が破損する虞があった。
本発明は、上述の従来の状況に鑑みてなされたものであり、網戸等の網に取り付けて用いられ、網への取り付け、取り外しをしても、網目が歪んだり、網を構成する糸が切れたりすることのない面ファスナーを提供することを目的とする。
【課題を解決するための手段】
【０００５】
本発明は以下のとおりである。
１．雌側部材と雄側部材とを備え、網を挟むようにして前記網に取り付けられる面ファスナーであって、
前記雌側部材に複数のループを備え、
前記雄側部材に複数の突起を備え、
前記網に取り付けられたときに、前記雌側部材の前記複数のループは前記網を突き抜けており、前記雄側部材の前記複数の突起は前記網を突き抜けていないことを特徴とする面ファスナー。
２．前記雄側部材の１ｃｍ２の面積に存在する前記複数の突起のうちの１／３本以上が、前記網の経糸及び緯糸の少なくとも一方に当接して、前記網を突き抜けていない前記１．に記載の面ファスナー。
３．前記複数の突起の頭部の径が、前記網の目開きより大きい前記１．又は２．に記載の面ファスナー。
４．前記複数の突起のうちの隣り合う突起同士の隙間が、前記網を構成する経糸及び緯糸の少なくとも一方の径より小さい前記１．乃至３．のうちのいずれか１項に記載の面ファスナー。
５．前記雌側部材の前記複数のループの配置間隔は、０．２〜１．５ｍｍであり、前記複数のループの高さは、０．８〜２．０ｍｍである前記１．乃至４．のうちのいずれか１項に記載の面ファスナー。 
【発明の効果】
【０００６】
本発明の面ファスナーは、網に取り付けられたときに、雌側部材の複数のループが網を突き抜けており、雄側部材の複数の突起は網を突き抜けていない。
このような構成とされていると、面ファスナーを網から取り外すときに、網目を通り抜けるのはループであり、突起ではない。そして、ループは網目を通り抜けるときに網を構成する糸に引っ掛かることがない。そのため、面ファスナーの網面への取り付け、取り外しをしても、網目が歪んだり、網を構成する糸が切れたりすることがない。
請求項２の発明は、雄側部材の１ｃｍ２の面積に存在する複数の突起のうちの１／３本以上が、網の経糸及び緯糸の少なくとも一方に当接して、網を突き抜けていない。
このような構成とされていると、面ファスナーの網面への取り付け、取り外しをしても、網目の歪み、及び網を構成する糸の切れ等を十分に防止することができる。また、網の糸に当接していない突起があったとしても、周囲の突起が網の糸に当接しているため、面ファスナーの略全面において突起が網を突き抜けることが抑えられる。
請求項３の発明は、複数の突起の頭部の径が、網の目開きより大きい。
このような構成とされていると、突起が網を突き抜けることがより抑えられる。そのため、面ファスナーの網面への取り付け、取り外しをしても、網目の歪み、及び網を構成する糸の切れ等をより十分に防止することができる。
請求項４の発明は、複数の突起のうちの隣り合う突起同士の隙間が、網を構成する経糸及び緯糸の少なくとも一方の径より小さい。
このような構成とされていると、突起が網を突き抜けることがより抑えられる。そのため、面ファスナーの網面への取り付け、取り外しをしても、網目の歪み、及び網を構成する糸の切れ等をより十分に防止することができる。更に、雌側部材と雄側部材とが押し付けられたときに、一部の突起同士の隙間が開いたとしても、その周辺では突起同士の隙間はより小さくなる。これにより、面ファスナーの略全面において突起が網を突き抜けることが抑えられる。
請求項５の発明は、雌側部材の複数のループの配置間隔が、０．２〜１．５ｍｍであり、複数のループの高さが、０．８〜２．０ｍｍである。
このような構成とされていると、より多くのループが容易に網目を突き抜け、ループが雄側部材の側で突起と確実に係合される。そのため、面ファスナーを網に確実に取り付けることができる。また、面ファスナーの一部が網から外れたり、面ファスナーが網から脱落したりすることを防止することができる。更に、面ファスナーの網面への取り付け、取り外しをしても、網目の歪み、及び網を構成する糸の切れ等を十分に防止することもできる。
【図面の簡単な説明】
【０００７】
【図１】網に取り付けられた面ファスナーの断面の模式図である。
【図２】矢じり型の突起の一例の断面の模式図である。
【図３】キノコ型の突起の一例の断面の模式図である。
【図４】本発明の面ファスナーの網への取り付けと取り外しをした後の網の様子を示す平面図である。
【図５】従来の突起が網を突き抜けている面ファスナーの網への取り付けと取り外しをした後の網の様子を示す平面図である。
【発明を実施するための形態】
【０００８】
以下、本発明を、図も参照しながら詳しく説明する。
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【０００９】
本実施形態の面ファスナー（１）は、雌側部材（３）と雄側部材（５）とを備え、網（７）を挟むようにして網（７）に取り付けられる。また、雌側部材（３）に複数のループ（９）を備え、雄側部材（５）に複数の突起（１１）を備える。更に、網（７）に取り付けられたときに、雌側部材（３）の複数のループ（９）は網（７）を突き抜けており、雄側部材（５）の複数の突起（１１）は網（７）を突き抜けていない（図１参照）。
【００１０】
（１）突起が網の糸に当接する形態
本実施形態の面ファスナー（１）では、雄側部材（５）の１ｃｍ２の面積に存在する複数の突起（１１）のうちの１／３本以上が、網（７）の経糸（１３）及び緯糸（１５）の少なくとも一方に当接している形態とすることができる。この場合、１ｃｍ２当たりの突起（１１）のうちの少なくとも３本に１本が網（７）を突き抜けていないことになる。また、複数の突起（１１）は、雄側部材（５）の全面に略均等に存在していることが好ましい。突起（１１）が雄側部材（５）の全面に略均等に存在していれば、網（７）の経糸（１３）及び／又は緯糸（１５）に当接して網（７）を突き抜けていない突起（１１）の周辺の突起（１１）も雌側部材（３）側への移動が抑えられる。即ち、実質的に全ての突起（１１）が網（７）を突き抜けないようにすることができる。一方、当接しない形態であると、突起（１１）が網目を突き抜けるときに網（７）に引っ掛かることで、経糸（１３）と緯糸（１５）の融着点で外れたり、網（７）の目ずれが起きたり、糸が傷付けられたりする虞がある。
【００１１】
更に、１ｃｍ２の面積に存在する複数の突起（１１）のうちの１／２本以上、特に２／３本以上が、網（７）の経糸（１３）及び／又は緯糸（１５）に当接するようにすることもできる。このようにすれば、突起（１１）が網（７）を突き抜けることをより確実に抑えることができる。
【００１２】
（２）突起の頭部の径が網の目開きより大きい形態
本実施形態の面ファスナー（１）では、複数の突起（１１）の頭部の径が、網（７）の目開きより大きい形態とすることができる。このような突起（１１）であれば、頭部が網（７）の経糸（１３）及び／又は緯糸（１５）に当接するため、突起（１１）が網（７）を突き抜けることを抑えることができる。この突起（１１）の形状は特に限定されない。例えば、矢じり型（図２参照）、キノコ型（図３参照）等の突起（１１）が挙げられる。
尚、頭部の径とは、図２の矢じり型の突起（１１）では、符号ａで示される寸法である。また、図３のキノコ型の突起（１１）では、符号ｂで示される寸法である。
【００１３】
上述のように、頭部の径が網（７）の目開きより大きい突起（１１）の本数は特に限定されない。この本数は、突起（１１）の全本数のうちの１／３本以上であればよい。これにより、少なくとも１／３の突起（１１）が網（７）を突き抜けないようにすることができる。また、頭部の径が網（７）の目開きより大きい突起（１１）は、雄側部材（５）の全面に略均等に存在していることが好ましい。例えば、雄側部材（５）の１ｃｍ２の面積に存在する複数の突起（１１）のうちの１／３本以上が、頭部の径が網（７）の目開きより大きい突起（１１）であることが好ましい。
尚、網（７）の目開きは、網（７）のメッシュ数と、経糸（１３）及び／又は緯糸（１５）の径とから算出することができる。
【００１４】
また、頭部の径が網（７）の目開きより大きい突起（１１）が、雄側部材（５）の全面に略均等に存在していれば、頭部の径が網（７）の目開きより大きいことで、網（７）を突き抜けていない突起（１１）の周辺の突起（１１）も雌側部材（３）側への移動が抑えられる。これにより、実質的に全ての突起（１１）が網（７）を突き抜けないようにすることができる。更に、１ｃｍ２の面積に存在する複数の突起（１１）のうちの１／２本以上、特に２／３本以上の突起（１１）の頭部の径を、網（７）の目開きより大きくすることもできる。このようにすれば、突起（１１）が網（７）を突き抜けることをより確実に抑えることができる。
【００１５】
（３）隣り合う突起同士の隙間が、網の糸の径より小さい形態
本実施形態の面ファスナー（１）では、複数の突起（１１）のうちの隣り合う突起（１１）同士の隙間を、網（７）を構成する経糸（１３）及び／又は緯糸（１５）の径より小さい形態とすることができる。これにより、突起（１１）が網（７）を突き抜けないようにすることができる。網（７）を構成する経糸（１３）及び緯糸（１５）の各々の径は特に限定されない。例えば、網戸に用いられる網（７）を構成する経糸（１３）及び緯糸（１５）の径は、それぞれ１００〜３００μｍ、特に１３０〜２６０μｍであることが多い。隣り合う突起（１１）同士の隙間を、これらの経糸（１３）及び／又は緯糸（１５）の径未満とすることで、突起（１１）が網（７）を突き抜けないようにすることができる。
【００１６】
上述のように、隣り合う突起（１１）同士の隙間が、網（７）を構成する経糸（１３）及び／又は緯糸（１５）の径より小さい箇所は面ファスナー（１）の全面に略均等に存在していることが好ましい。更に、このような箇所が何箇所であるかは特に限定されない。例えば、雄側部材（５）の１ｃｍ２の面積に存在する隣り合う突起（１１）同士の隙間のうちの１／３以上が、網（７）を構成する経糸（１３）及び／又は緯糸（１５）の径より小さいことが好ましい。
【００１７】
また、全隙間のうちの１／３以上が、網（７）を構成する経糸（１３）及び／又は緯糸（１５）の径より小さいことで、その周辺の突起（１１）の雌側部材（３）側への移動も抑えられ、実質的に全ての突起（１１）が網（７）を突き抜けないようにすることができる。更に、１ｃｍ２の面積に存在する隣り合う突起（１１）同士の隙間のうちの１／２以上、特に２／３以上の隙間を、網（７）を構成する経糸（１３）及び／又は緯糸（１５）の径より小さくすることもできる。このようにすれば、突起（１１）が網（７）を突き抜けることをより確実に抑えることができる。
【００１８】
（４）ループの配置間隔及び高さが特定された形態
本実施形態の面ファスナー（１）では、雌側部材（３）の複数のループ（９）の配置間隔が０．２〜１．５ｍｍであり、複数のループ（９）の高さが０．８〜２．０ｍｍである形態とすることができる。これにより、ループ（９）が優先的に網（７）を突き抜けるとともに、突起（１１）は網（７）を突き抜け難くすることができる。ループ（９）の配置間隔は、０．５〜１．５ｍｍであることが好ましい。また、ループ（９）の高さは、１．０〜２．０ｍｍであることが好ましい。更に、ループ（９）の配置間隔が０．５〜１．５ｍｍ、特に０．５〜１．０ｍｍであるとともに、高さが１．０〜２．０ｍｍ、特に１．０〜１．５ｍｍであることがより好ましい。
【００１９】
ループ（９）の配置間隔が０．２〜１．５ｍｍであり、高さが０．８〜２．０ｍｍであれば、多くのループ（９）が容易に網（７）を突き抜け、雄側部材（５）の側でループ（９）と突起（１１）とを係合させることができる。
尚、ループ（９）の配置間隔とは、雌側基布（２５）の表面における一のループ（９）の根本の周面と、隣り合う直近の他のループ（９）の根本の周面との最短距離であるとする。また、高さは、雌側基布（２５）の表面と、ループ（９）の頂点との距離である。
【００２０】
（５）突起の高さ
前述のような各種の形態とすることで、雄側部材（５）が備える複数の突起（１１）が、網（７）を突き抜けないようにすることができる。突起（１１）の高さは特に限定されないが、０．７５〜２．０ｍｍ、特に０．８〜１．２ｍｍであることが好ましい。更に、突起（１１）の面積の大きい頭部の下面と、雄側基材シート（１７）の表面との間の寸法（図２、３において符号ｘで表される寸法）、即ち、幹部の長さ寸法が０．１３ｍｍ以下であれば、突起（１１）が網（７）を突き抜けることをより確実に防止することができる。一方、寸法ｘの下限値は０．０２ｍｍである。この下限値未満であると、突起（１１）とループ（９）とが係合され難くなり、雄側部材（５）と雌側部材（３）とを十分強固に係合させることができないため好ましくない。
【００２１】
（６）ループ、突起の形成及び面ファスナーの材質
面ファスナー（１）が備える複数のループ（９）は雌側基布（１９）の表面に立設されている。また、ループ（９）は雌側基布（１９）に織り込まれて形成されている。雌側基布（１９）及びループ（９）の製織には、通常、マルチフィラメントが用いられる。マルチフィラメントの繊度は特に限定されず、２０〜１２０μｍ、特に２５〜８０μｍのマルチフィラメントを用いることができる。更に、雄側基材シート（１７）は、合成樹脂を押出成形法等により成形したシートから所定形状に打ち抜く等の方法により作製することができる。また、矢じり型、キノコ型等の突起（１１）は、常法により形成することができる。例えば、雄側基材シート（１７）の表面に合成樹脂を押出成形して形成することができる。
尚、雌側基布（１９）の織物組織は特に限定されないが、通常、１／１組織、２／２組織等の平織組織である。
【００２２】
雌側基布（２５）及びループ（９）の製織には、上述のように、合成樹脂を用いてなるマルチフィラメントが使用される。この合成樹脂は特に限定されず、ポリエチレンテレフタレート、ポリブチレンテレフタレート等のポリエステル樹脂、ナイロン−６、ナイロン６６等のポリアミド樹脂、ポリエチレン、ポリプロピレン等のポリオレフィン樹脂などが挙げられる。マルチフィラメントとしては、高い係合力が得られるポリエステル樹脂を用いてなるマルチフィラメントが好ましい。更に、雄側基材シート（１７）及び突起（１１）の成形にも、各種のポリエステル樹脂、ポリアミド樹脂、ポリオレフィン樹脂などが用いられる。
【００２３】
（７）網
面ファスナー（１）が取り付けられる網（７）としては、一般住宅等の窓及び部屋とベランダとの間に配置される網戸が備える網（７）等が挙げられる。網（７）の網目の数は特に限定されないが、例えば、網戸が備える網（７）の場合、通常、１６〜３５メッシュ、特に１８〜２４メッシュである。また、網戸の網（７）は、モノフィラメントを用いて作製される。経糸１３及び緯糸１５の径は、前述のように、１００〜３００μｍ、特に１００〜２６０μｍであることが多い。更に、モノフィラメントは、合成樹脂を用いてなるものでもよく、金属繊維及びガラス繊維等の表面に樹脂コートを施したものでもよい。また、通常、経糸１３と緯糸１５の各々の糸密度は略同一であり、織物組織は１／１平織組織である。
【００２４】
（８）面ファスナーに取り付けられる物品
面ファスナー（１）の雄側基材シート（１７）及び／又は雌側基布（１９）の裏面［突起（１１）及びループ（９）が形成されていない側］には、各種の物品を取り付けることができる。例えば、網戸が備える網（７）の場合、網（７）の存在を気付かせるための視認性向上用マークシートが取り付けられる。この他、防虫剤、芳香剤及び消臭剤等の物品を取り付けることもできる。これらは雄側基材シート（１７）及び雌側基布（１９）のうちのいずれか一方の裏面のみに取り付けてもよく、両面に取り付けてもよい。通常、視認性向上用マークシートは室内側及び室外側の両側、防虫剤、芳香剤、消臭剤等は室外側に取り付けられる。また、これらの物品は、接着剤及び粘着剤による貼着、熱融着、縫製等によって取り付けることができる。
【実施例】
【００２５】
以下、実施例により本発明を具体的に説明する。
実施例１
（１）面ファスナーの構成
網７として住宅用網戸に配置された網７を用いた。この網７の網目の数は２４メッシュである。また、経糸１３の径は１３０μｍ、緯糸１５の径は１４０μｍであって、経糸１３と緯糸１５とが直行する交点では両糸は融着されている。更に、面ファスナー１としては、直径２８ｍｍの円形のものを用いた。従って、面ファスナー１の面積は６．１５ｃｍ２となる。この面ファスナー１の雄側基材シート１７及び雌側基布１９の各々の裏面には、面ファスナー１と同寸法、同形状の合成樹脂製の視認性向上用マークシートが貼着されており、このシートの表面には網戸の視認性を向上させるための色彩模様が描かれている。
【００２６】
面ファスナー１としては、プラスチックを成形してなる雄側基材シート１７を有する雄側部材５と、ポリエチレンテレフタレートからなる径３６μｍのマルチフィラメントが製織されてなる雌側基布１９を有する雌側部材３とを備えるものを用いた。また、雄側基材シート１７の表面には、プラスチックを用いた押出成形によって、矢じり型の複数の突起１１を形成した。この突起１１は図２のような形状であり、雄側基材シート１７の表面からの高さが１．０ｍｍであり、根本の径は０．３６ｍｍ、頭部の最大径が０．６５ｍｍである。また、突起１１間の隙間（頭部の最大径の部位間の隙間、最大径は図２において符号ａで示される寸法である。）は０．３２ｍｍである。更に、雌側基布１９の表面には、複数のループ９を雌側基布１９にマルチフィラメントを織り込んで形成した。ループ９は、雌側基布１９の表面からの高さが１．２ｍｍであり、長手方向（網戸の縦方向となる方向）の配置間隔が１．０ｍｍ、幅方向（網戸の横方向となる方向）の配置間隔が０．５ｍｍである。
【００２７】
（２）面ファスナーの作用
実施例１では、面ファスナー１の突起１１が網７の緯糸１５の略半数に当接し、この突起１１の周辺の突起１１も含めて網７を突き抜けなかった。一方、ループ９は網７を突き抜け、雄側部材５の側に突出しており、ループ９に突起１１が係合されていた。このようにして、雄側基材シート１７及び雌側基布１９の各々の裏面に、網戸の視認性を向上させるための色彩模様が描かれた合成樹脂製のシートが貼着された面ファスナー１を、網戸の網７に取り付けた。
【００２８】
この面ファスナー１の周縁の１部を測定装置の治具により挟み、網７から取り外したときの剥離強さは、３１〜３８ｇｆ／ｃｍ２であった。また、面ファスナー１の網７への取り付け、網７からの取り外しを１０回繰り返したが、剥離強さの大きな低下はみられなかった。更に、網目が歪んだり、網７を構成する糸が切れたり、経糸１３と緯糸１５との融着点で外れてしまうこともなかった（図４参照）。また、面ファスナー１を網７に取り付けたまま３０日間放置したが、風雨等により脱落することもなかった。
【００２９】
実施例２
（１）面ファスナーの構成
網戸及び面ファスナー１の雄側部材５の構成は実施例１と同様とした。また、雌側部材３は、雌側基布１９の表面に形成された複数のループ９の、雌側基布１９の表面からの高さを０．９ｍｍとし、長手方向の間隔を１．５ｍｍとした他は、実施例１と同様とした。
【００３０】
（２）面ファスナーの作用
実施例２では、ループ９の高さが小さいため、ループ９が網７を十分に突き抜けず、突き抜けたとしても突起１１と係合することができないループ９もあった。また、ループ９の長手方向の間隔が大きいこともあって、剥離強さが低下し、面ファスナー１を、実施例１ほど強固に網７に取り付けることができなかった。しかし、面ファスナー１の網７への取り付け、網７からの取り外しを１０回繰り返したところ、網目が歪んだり、網７を構成する糸が切れたり、経糸１３と緯糸１５との融着点で外れてしまうことは全くなかった。
【００３１】
比較例１
（１）面ファスナーの構成
網戸及び面ファスナー１の雌側部材３の構成は実施例１と同様とした。また、雄側部材５は、突起１１を、雄側製織シート（雄側基材シート１７に対応）の表面からの高さ２．０ｍｍ、長手方向の間隔２．０ｍｍ、幅方向の間隔１．５ｍｍのフック型とした。
【００３２】
（２）面ファスナーの作用
比較例１では、フック型の突起１１が網７を突き抜け、雌側部材３の側でループ９と十分に係合させることができた。そのため、実施例と同様にして、面ファスナー１を網７から取り外したときの剥離強さは、３５〜６１ｇｆ／ｃｍ２と、実施例１と比べて相当に大きかった。このように、面ファスナー１を網７に強固に取り付けることができた。しかし、面ファスナー１の網７への取り付け、網７からの取り外しを１０回繰り返したところ、取り外すときに、網７の経糸１３及び緯糸１５にフック型の突起１１が引っ掛かるため、融着点が網７の面積２．２ｃｍ２当たり、５４箇所で外れてしまった。更に、網目が歪んだり、糸が切れたりしていた（図５参照）。
このように、実施例と比較例との評価結果によって、本発明の面ファスナー１を用いることによる有利な作用効果が十分に実証された。
【００３３】
尚、本発明においては、上述の具体的な実施例に限られず、目的、用途等に応じて本発明の範囲内で種々変更した実施例とすることができる。例えば、実施例では、図２のような特定の形状のキノコ型の突起１１を有する雄側部材５を備える面ファスナー１を用いたが、キノコ型の突起１１として、頭部全体が円弧状のものを用いることもできる。
【００３４】
また、突起１１の形状としては、矢じり型及びキノコ型が挙げられ、矢じり型であることがより好ましい。しかし、雌側部材３の複数のループ９の高さが十分に大きく、且つ雄側部材５の複数の突起１１の高さが十分に小さく、網７を突き抜けるのがループ９であるときは、突起１１の形状はフック型であってもよい。即ち、網７を突き抜けなければ、突起１１はフック型とすることもできる。
【００３５】
更に、実施例では、面ファスナー１の形状を円形としたが、特に限定されるものではない。雄側基材シート１７及び／又は雌側基布１９の裏面に取り付けられる物品の種類にもよるが、円形の他、楕円形、三角形、四角形、六角形、台形、及び何らかのキャラクター等を模した形状などの各種の形状とすることができる。また、実施例では、面ファスナー１の面積は６．１５ｃｍ２であるが、この面積も特に限定されない。しかし、大き過ぎると見栄えがよくないため、１．０〜９．０ｃｍ２、特に２．０〜７．０ｃｍ２とすることが好ましい。
【００３６】
尚、前述の記載は単に説明を目的とするものでしかなく、本発明を限定するものと解釈されるものではない。本発明を典型的な実施形態を挙げて説明したが、本発明の記述及び図示において使用された文言は、限定的な文言ではなく、説明的および例示的なものであると理解される。ここで詳述したように、その形態において本発明の範囲又は精神から逸脱することなく、添付の特許請求の範囲内で変更が可能である。ここでは、本発明の詳述に特定の構造、材料及び実施形態を参照したが、本発明をここにおける開示事項に限定することを意図するものではなく、寧ろ、本発明は添付の特許請求の範囲内における、機能的に同等の構造、方法、使用の全てに及ぶものとする。
【産業上の利用可能性】
【００３７】
本発明は、網戸等の網に、視認性向上マーク、防虫剤、芳香剤、消臭剤等が取り付けられた面ファスナーの技術分野において利用することができる。特に、網への取り付け、取り外しを繰り返しても、網を損傷させることのない面ファスナーの技術分野において有用である。
【符号の説明】
【００３８】
１；面ファスナー、３；雌側部材、５；雄側部材、７；網、９；ループ、１１；突起、１３；網の経糸、１５；網の緯糸、１７；雄側基材シート、１９；雌側基布。
【図１】
2014236859.tif 000003
【図２】
2014236859.tif 000004
【図３】
2014236859.tif 000005
【図４】
2014236859.tif 000006
【図５】
2014236859.tif 000007